(57)【要約】【課題】ショッピングカートに設けられる乗物ボディ玩具について、デザイン的にシンプル且つスリムにし、乗物ボディ玩具の外幅を小さくし内幅を大きくするとともに、屋根板部を無くして、乗物ボディ玩具内に乗り込んでいる子供の様子を分かりやすくする。【解決手段】キャスターが取り付けられた本体フレーム２と、本体フレーム２に取り付けられた子供用座席１６と、本体フレーム２に取り付けられて子供用座席１６を囲う乗物ボディ玩具２０とを含むショッピングカート１において、乗物ボディ玩具２０は、樹脂板、木板、金属板又はそれらの複合からなる厚さ１．４〜２５ｍｍの中実板２２からなる左右の側板部２１と、左右の側板部２１の前端下部相互間に配設された前板部２８とを含み、左右の側板部２１の上端相互間に屋根板部が配設されていない。【選択図】図１
2020114715.tif 000002
【特許請求の範囲】
【請求項１】
キャスター（１４）が取り付けられた本体フレーム（２）と、本体フレーム（２）に取り付けられた子供用座席（１６）と、本体フレーム（２）に取り付けられて子供用座席（１６）を囲う乗物ボディ玩具（２０）とを含むショッピングカート（１）において、
乗物ボディ玩具（２０）は、樹脂板、木板、金属板又はそれらの複合からなる厚さ１．４〜２５ｍｍの中実板（２２）で形成された左右の側板部（２１）と、左右の側板部（２１）の前端下部相互間に配設された前板部（２８）とを含み、左右の側板部（２１）の上端相互間に屋根板部が配設されていないことを特徴とするショッピングカート。
【請求項２】
左右の側板部（２１）は、前部の上下方向に相互間隔をおいた複数箇所と、前後方向中間部の上下方向に相互間隔をおいた複数箇所と、後部の上下方向に相互間隔をおいた複数箇所とが、本体フレーム（２）に止着部材により止着されている請求項１記載のショッピングカート。
【請求項３】
左右の側板部（２１）は、平板である請求項１又は２記載のショッピングカート。
【請求項４】
左右の側板部（２１）は、曲げ角度が１０°以下で折曲された箇所がある折曲平板である請求項１又は２記載のショッピングカート。
【請求項５】
左右の側板部（２１）の外面には、印刷又は図柄付きシールにより図柄が付されている請求項１〜４のいずれか一項に記載のショッピングカート。
【請求項６】
左右の側板部（２１）には窓穴（２５）又は乗り込み口（２６）が貫設され、左右の側板部（２１）の外周の縁と窓穴（２５）の縁又は乗り込み口（２６）の縁とには、複合板（２２）の縁を断面コ字状に覆う縁覆部材（２７）が取り付けられている請求項１〜５のいずれか一項に記載のショッピングカート。
【請求項７】
前板部（２８）の後方に、タブレットＰＣを設けた請求項１〜６のいずれか一項に記載のショッピングカート。
【発明の詳細な説明】
【技術分野】
【０００１】
本発明は、スーパーショッピングセンター、コンビニ、ショッピングセンター等の販売店で買い物をする際に使用するショッピングカートに関する。
【背景技術】
【０００２】
ショッピングカートのなかには、買物カゴを運ぶだけでなく、子供連れで買い物をする際の便宜のために、子供を一緒に運べるようにしたタイプがある。このタイプとしては、子供が腰掛けることのできる子供用座席を設けたものが一般的であるが、さらに子供用座席を、自動車や列車等の乗物のボディを模した乗物ボディ玩具で囲うことにより、子供が喜んで乗物ボディ玩具内に乗り込むようにしたものもある（特許文献１）。
【０００３】
この乗物ボディ玩具は、ショッピングカートの本体フレームにネジ止め固定された左右の側板部と、左右の側板部の前端下部相互間に配設された前板部と、左右の側板部の上端相互間に配設された屋根板部と、前板部の下端から連続的に形成された底板部とからなる。これらの構成部品はすべて、樹脂によるブロー成形品であり、内部に表面と平行に延びる空洞がある中空板である。
【先行技術文献】
【特許文献】
【０００４】
【特許文献１】特開２００２−３６２３７３号公報
【発明の概要】
【発明が解決しようとする課題】
【０００５】
従来の乗物ボディ玩具は、各構成部品がブロー成形品（中空板）であるため厚く且つ丸みを持っていて、デザイン的に肥大して見える。特に、左右の側板部の厚さが大きいと、乗物ボディ玩具の外幅が大きくなって嵩張り、乗物ボディ玩具の内幅が小さくなって狭くなる。
【０００６】
また、従来の乗物ボディ玩具は、左右のブロー成形品の側板部の上端相互間を、ブロー成形品の屋根板部でブリッジ状に連結している。そのため、ショッピングカートを押し動かす買物客が、乗物ボディ玩具内に乗り込んでいる子供を見ようとしたときに、屋根板部が死角となり、子供の様子が分かりにくい。
【０００７】
そこで、本発明の目的は、ショッピングカートに設けられる乗物ボディ玩具について、デザイン的にシンプル且つスリムにし、乗物ボディ玩具の外幅を小さくし内幅を大きくするとともに、屋根板部を無くして、乗物ボディ玩具内に乗り込んでいる子供の様子を分かりやすくすることにある。
【課題を解決するための手段】
【０００８】
本発明は、キャスターが取り付けられた本体フレームと、本体フレームに取り付けられた子供用座席と、本体フレームに取り付けられて子供用座席を囲う乗物ボディ玩具とを含むショッピングカートにおいて、
乗物ボディ玩具は、樹脂板、木板、金属板又はそれらの複合からなる厚さ１．４〜２５ｍｍの中実板で形成された左右の側板部と、左右の側板部の前端下部相互間に配設された前板部とを含み、左右の側板部の上端相互間に屋根板部が配設されていないことを特徴とする。
【０００９】
［作用］
【００１０】
左右の側板部は、従来のブロー成形品と比較して薄いため、デザイン的にシンプル且つスリムになるとともに、乗物ボディ玩具の外幅が小さくなり内幅が大きくなる。
【００１１】
従来のような左右の側板部の上端相互間を連結する屋根板部を含まないため、ショッピングカートを押し動かす買物客は、乗物ボディ玩具内に乗り込んでいる子供の様子がよく分かる。
【発明の効果】
【００１２】
本発明によれば、ショッピングカートに設けられる乗物ボディ玩具について、デザイン的にシンプル且つスリムにし、乗物ボディ玩具の外幅を小さくし内幅を大きくすることができるとともに、屋根板部を無くして、乗物ボディ玩具内に乗り込んでいる子供の様子を分かりやすくできる。
【図面の簡単な説明】
【００１３】
【図１】図１は、実施例のショッピングカートを正面側から見た斜視図である。
【図２】図２は、同ショッピングカートを上方から見た斜視図である。
【図３】図３は、同ショッピングカートを背面側から見た斜視図である。
【図４】図４は、図１のＩＶ−ＩＶ断面図である。
【発明を実施するための形態】
【００１４】
１．中実板
中実板とは、前記中空板に対するものであり、内部に表面と平行に延びる空洞がなく、内部まで詰まった板である。但し、中実板は、内部に複数の気泡を含む板、すなわち多孔質板は排除しない。
樹脂板、木板、金属板又はそれらの複合からなる厚さ１．４〜２５ｍｍ（好ましくは厚さ２．５〜１０ｍｍ）の中実板としては、金属単板、複数枚の金属板が重ねられ接合された複合板、木単板、複数枚の木板が重ねられ接合された複合板、樹脂単板、複数枚の樹脂板が重ねられ接合された複合板、金属板と樹脂板が重ねられ接合された複合板（例えば、２枚の金属板の間に樹脂板が重ねられ接合された複合板）、金属板と木板が重ねられ接合された複合板、木板と樹脂板が重ねられ接合された複合板等を例示できる。
【００１５】
ここで、金属板の材料は、特に限定されないが、軽量性と安価性からアルミニウム（アルミニウム合金も含む。）が好ましい。アルミニウム板の厚さは、特に限定されないが、単板の場合は１．４〜４ｍｍが好ましく、複合板中の１枚の場合は０．２〜２ｍｍが好ましい。
【００１６】
木板の材料は、特に限定されない。木板の厚さは、特に限定されないが、単板の場合は４〜２５ｍｍが好ましく、複合板中の１枚の場合は２〜５ｍｍが好ましい。
【００１７】
樹脂板の材料は、特に限定されず、ポリエチレン、ポリ塩化ビニル、ポリプロピレン、ポリウレタン等を例示できる。
樹脂板は、内部に気泡を有しないソリッドな樹脂板が好ましいが、内部に気泡を有する発泡樹脂板でもよい。但し、発泡樹脂の発泡倍率（＝発泡前の樹脂の比重／発泡後の樹脂の比重）は３倍以下が好ましい。
樹脂板の厚さは、特に限定されないが、単板の場合は２〜６ｍｍが好ましく、複合板中の１枚の場合は１〜３ｍｍが好ましい。
【００１８】
２．左右の側板部
左右の側板部は、前部の上下方向に相互間隔をおいた複数箇所と、前後方向中間部の上下方向に相互間隔をおいた複数箇所と、後部の上下方向に相互間隔をおいた複数箇所とが、本体フレームに止着部材により止着されていることが好ましい。これにより、左右の側板部の全体が満遍なく本体フレームに止着されるため、左右の側板部の上端相互間を連結する屋根板部を含まないにも拘わらず、左右の側板部の強度が確保されるからである。各「複数箇所」は３〜５箇所が好ましい。止着部材としては、特に限定されないが、ボルト及びナット、リベット等を例示できる。
【００１９】
左右の側板部は、フラットな平板であるか、又は、曲げ角度１０°以下（平面に対する角度）で折曲された箇所がある折曲平板であることが好ましい。これにより、デザイン的に最もシンプル且つスリムになるとともに、次の図柄を設けやすくなるからである。
【００２０】
左右の側板部の外面には、印刷又は図柄付きシールにより図柄が付されていることが好ましい。図柄としては、乗物ボディを模した図柄、スーパーショッピングセンター・コンビニ・ショッピングセンター等の販売店の名称・マーク・宣伝等を例示できる。図柄付きシールは、例えば貼り付けやラミネート加工により付設することができる。図柄付きシールは貼り替え可能に付されていることが好ましい。
【００２１】
左右の側板部には窓穴又は乗り込み口が貫設され、左右の側板部の外周の縁と窓穴の縁又は乗り込み口の縁とには、中実板の縁を断面コ字状に覆う縁覆部材が取り付けられていることが好ましい。買物客や子供を、中実板の縁による引っ掻きから保護できるからである。
【実施例】
【００２２】
次に、本発明の実施例について図面を参照して説明する。但し、説明する各部の構造、形状、数量等は例示であり、発明の趣旨を逸脱しない範囲で適宜変更できる。
【００２３】
図１〜図４に示す実施例のショッピングカート１は、本体フレーム２と、キャスター１４と、カゴ載せ１５と、子供用座席１６と、子供用座席１６を囲う乗物ボディ玩具２０とを備えている。
【００２４】
本体フレーム２は、前枠４と左右の側枠５とを備えた基枠３と、左右の側枠５の前半部相互間の上に取り付けられた座席支持板６と、側枠５の前端部から立設した左右の第１支柱７と、側枠５の前後方向中間部から立設した左右の第２支柱８と、第１支柱７の上端から後方へ延び第２支柱８の上端に接合されて更に後方へ延びる左右の上部バー９と、左右の上部バー９の後端相互間を連結するハンドル１０と、左右の第２支柱８の高さ方向中間部相互間を連結する第１横架材１１と、左右の第２支柱８の上部相互間を連結する第２横架材１２とからなる。
【００２５】
従って、本体フレーム２は、側枠５の前半部と第１支柱７と第２支柱８と上部バー９の前半部とで矩形状フレームを形成し、この矩形状フレームから側枠５の後半部と上部バー９の後半部が後方へ延びる形となっている。基枠３は、金属製の例えば断面四角形の型材からなる。第１支柱７、第２支柱８、上部バー９、ハンドル１０、第１横架材１１及び第２横架材１２は、金属製の例えばパイプ材からなる。
【００２６】
キャスター１４は、左右の側枠５の前端部と後端部とに取り付けられている。
【００２７】
カゴ載せ１５は、第２横架材１２の後方に配され、第２横架材１２と第２支柱８とに取り付けられている。カゴ載せ１５は、金属製の例えばメッシュ材からなる。
【００２８】
子供用座席１６は、本体フレーム２の支持板の上に取り付けられており、幼児が前向きに腰掛けることができるように座と背当とヘッドレスト１７とを含み構成されている。ヘッドレスト１７は、背が異なる子供に対応できるように、背当のすぐ上とそれよりも上部とに２つ備えている。
【００２９】
乗物ボディ玩具２０は、本体フレーム２に止着された左右の側板部２１と、左右の側板部２１の前端下部相互間に配設された前板部２８とからなり、左右の側板部２１の上端相互間に前記従来例のような中空板（又は中実板）からなる屋根板部は配設されていない。
【００３０】
左右の側板部２１は、図４に示すように、中実板２２としての、２枚のアルミニウム板２３の間に樹脂板２４が重ねられ接合された複合板からなる。アルミニウム板２３の１枚の厚さは例えば０．５ｍｍである。樹脂板２４は、ポリエチレンからなり、厚さは例えば２ｍｍである。よって、中実板２２の厚さは例えば３ｍｍである。また、左右の側板部２１は、曲げのないフラットな平板である。
【００３１】
左右の側板部２１は、自動車のノーズ付きボディを模して前端下部が前方へ突出した略台形板状をなしており、上述した本体フレーム２の側枠５、第１支柱７、第２支柱８及び上部バー９に外側方から当接されて、複数の止着部材３０により止着されている。より詳しくは、
・左右の側板部２１の前部の上下方向に相互間隔をおいた４箇所のうち、上から３箇所が第１支柱７に、下の１箇所が側枠５に、それぞれ止着部材３０により止着されている。
・左右の側板部２１の前後方向中間部の上下方向に相互間隔をおいた４箇所が、第２支柱８に止着部材３０により止着されている。
・左右の側板部２１の後部の上下方向に相互間隔をおいた３箇所のうち、上の１箇所が上部バー９に、中の箇所が第２支柱８に、下の１箇所が側枠５に、それぞれ止着部材３０により止着されている。
【００３２】
止着部材３０は、図４に示すように、側板部２１に植設されて側板部２１内側へ突出するボルト３１と、側枠５、第１支柱７、第２支柱８及び上部バー９に固定された止め板３２と、止め板３２に貫通したボルト３１を締めるナット３３とからなり、適宜ワッシャ３４が介装される。止め板３２の大きさは部位によって適宜異なる。止め板３２とナット３３との間に底壁が挟まれた樹脂製のカップ部材３６と、カップ部材３６の内側に嵌着された樹脂製の倒立カップ状のキャップ部材３７とからなる保護具３５により、ボルト３１の先端とナット３３が覆われて子供が触れないよう保護している。
【００３３】
右側の側板部２１の、子供用座席１６のすぐ右方に対応する位置には、上部に窓穴２５が貫設されている。
左側の側板部２１の、子供用座席１６のすぐ左方に対応する位置には、上下に大きい乗り込み口２６が貫設されている。
左右の側板部２１の外周の縁と窓穴２５の縁と乗り込み口２６の縁には、中実板２２の縁を断面コ字状に覆う縁覆部材２７が取り付けられ、買物客や子供を中実板２２の縁による引っ掻きから保護している。
【００３４】
乗り込み口２６にドアが無い代わりに、乗り込み口２６と子供用座席１６との間の座席支持板６の上には、子供が側方へ動く範囲を規制するためのサイドガード４１が立設されている。乗り込み口２６にドアを設けて、サイドガード４１を省いてもよい。
また、左右の側板部２１に、印刷又は図柄付きシールにより図柄（図示略）を付してもよい。左右の側板部２１は、従来のブロー成形品と比較して薄く且つフラットに近いため、印刷や図柄付きシールを付設しやすい。
また、左右の側板部２１に、図１に鎖線で示すように、自動車の車輪を模した車輪玩具４２を取り付けてもよい。
【００３５】
前板部２８は、側板部２１と同じ中実板からなるものであるが、側板部２１とは異なる中実板からなるものでもよいし、その他の板からなるものでもよい。
前板部２８は、基枠３の前枠４、左右の第１支柱７、左右の側板部２１のいずれに取り付けられていてもよい。よって、前板部２８は、左右の側板部２１を連結するものでも連結しないものでもよい。
【００３６】
前枠４の前方に、緩衝バンパー４４が設けられている。緩衝バンパー４４は、例えば弾性材料からなる中空の筒状体又は中実の棒状体である。
前板部２８の前方に、自動車のグリルガードを模したグリルガード玩具４３が設けられている。
前板部２８の後方に、自動車のステアリングホイールを模したステアリングホイール玩具（図示略）や、インストルメントパネルを模したインストルメントパネル玩具（図示略）を設けてもよい。
【００３７】
また、前板部２８の後方に、タブレットＰＣ（パソコン）４５を設けてもよい。子供用座席１６に座った子供が、タブレットＰＣ４５に表示した動画やゲーム等を楽しむことができる。
【００３８】
以上のように構成された本実施例のショッピングカート１によれば、次の作用効果が得られる。
（１）カゴ載せ１５に買物カゴを載せ、子供用座席１６に子供が腰掛けた状態で、ショッピングカート１を移動させて使用することができる。
【００３９】
（２）また、左右の側板部２１は、従来のブロー成形品と比較して薄く且つフラットであるため、デザイン的にシンプル且つスリムになるとともに、乗物ボディ玩具２０の外幅が小さくなり内幅が大きくなる。
【００４０】
（３）従来のような左右の側板部２１の上端相互間を連結する屋根板部を含まないため、ショッピングカート１を押し動かす買物客は、乗物ボディ玩具２０内に乗り込んでいる子供の様子がよく分かる。
【００４１】
（４）左右の側板部２１は、前部と前後方向中間部と後部の各複数箇所が本体フレーム２に止着部材により止着され、これにより左右の側板部２１の全体が満遍なく本体フレーム２に止着されるため、左右の側板部２１の上端相互間を連結する屋根板部を含まないにも拘わらず、左右の側板部２１の強度が確保される。
【００４２】
（５）中実板２２は、２枚のアルミニウム板２３の間に樹脂板２４が重ねられ接合された複合板であり、振動エネルギの内部損失が大きいため叩いても音が響かない。
【００４３】
なお、本発明は前記実施例の構成に限定されるものではなく、発明の趣旨から逸脱しない範囲で、適宜変更して具体化することもできる。
【符号の説明】
【００４４】
１    ショッピングカート
２    本体フレーム
３    基枠
７    第１支柱
８    第２支柱
９    上部バー
１４    キャスター
１６    子供用座席
２０    乗物ボディ玩具
２１    側板部
２２    中実板
２３    アルミニウム板
２４    樹脂板
２５    窓穴
２６    乗り込み口
２７    縁覆部材
２８    前板部
３０    止着部材
３１    ボルト
３２    止め板
３３    ナット
３５    保護具
３６    カップ部材
３７    キャップ部材
４５    タブレットＰＣ
【図１】
2020114715.tif 000003
【図２】
2020114715.tif 000004
【図３】
2020114715.tif 000005
【図４】
2020114715.tif 000006